【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
セルラ通信ネットワークにおいてリモート端末及び基地局の間の符号ブックの不適合を防止する方法であって、前記リモート端末及び基地局は、マルチキャリアＨＡＲＱ−ＡＣＫ符号ブックを利用するマルチキャリアモード、又はシングルキャリアＨＡＲＱ−ＡＣＫ符号ブックを利用するシングルキャリアモードのいずれかにおいて、選択的に動作し：
前記リモート端末が送信する様々なメッセージの組み合わせについての複数の符号語を有するマルチキャリアＨＡＲＱ−ＡＣＫ符号ブックを、前記リモート端末におけるメモリ内に記憶するステップと、
前記マルチキャリアＨＡＲＱ−ＡＣＫ符号ブックにおける確認応答（ＡＣＫ）メッセージについての前記符号語及び否定確認応答（ＮＡＣＫ）メッセージについての前記符号語は、前記シングルキャリアＨＡＲＱ−ＡＣＫ符号ブックにおけるＡＣＫ符号語及びＮＡＣＫ符号語と同じであることと；
前記リモート端末が、前記マルチキャリアモードから前記シングルキャリアモードへ切り換える前記基地局からの命令を見逃した場合に、前記リモート端末によって前記マルチキャリアＨＡＲＱ−ＡＣＫ符号ブックを利用して、前記基地局からのシングルキャリア送信信号に応じたアップリンクのＡＣＫメッセージ又はＮＡＣＫメッセージを送信するステップと；
前記ＡＣＫメッセージについての前記符号語及び前記ＮＡＣＫメッセージについての前記符号語は、前記マルチキャリアＨＡＲＱ−ＡＣＫ符号ブック及び前記シングルキャリアＨＡＲＱ−ＡＣＫ符号ブックの双方において同じであるため、前記基地局における符号ブックの不適合は、回避されることと；
を含む、方法。
【請求項２】
前記マルチキャリアモードは、第１及び第２のキャリアの周波数上で動作するデュアルキャリアモードであり、前記マルチキャリアＨＡＲＱ−ＡＣＫ符号ブックにおける前記複数の符号語は、前記第１及び第２のキャリア上で、各々：
確認応答／不連続送信（ＡＣＫ／ＤＴＸ）；
否定確認応答／不連続送信（ＮＡＣＫ／ＤＴＸ）；
不連続送信／確認応答（ＤＴＸ／ＡＣＫ）；
不連続送信／否定確認応答（ＤＴＸ／ＮＡＣＫ）；
否定確認応答／確認応答（ＮＡＣＫ／ＡＣＫ）；
確認応答／否定確認応答（ＡＣＫ／ＮＡＣＫ）；
確認応答／確認応答（ＡＣＫ／ＡＣＫ）；及び
否定確認応答／否定確認応答（ＮＡＣＫ／ＮＡＣＫ）、
というメッセージに対応する、請求項１に記載の方法。
【請求項３】
各符号語は、１０ビットの長さを有し、前記ビットは、４という最小ハミング距離を提供するように定義される、請求項２に記載の方法。
【請求項４】
反対の意味を有するメッセージのペアに対応する符号語は、１０というハミング距離を有する、請求項３に記載の方法。
【請求項５】
前記反対の意味を有するメッセージのペアは：
ＤＴＸ／ＡＣＫ及びＤＴＸ／ＮＡＣＫ；
ＡＣＫ／ＤＴＸ及びＮＡＣＫ／ＤＴＸ；
ＡＣＫ／ＡＣＫ及びＮＡＣＫ／ＮＡＣＫ；並びに
ＡＣＫ／ＮＡＣＫ及びＮＡＣＫ／ＡＣＫ；
を含む、請求項４に記載の方法。
【請求項６】
前記マルチキャリアＨＡＲＱ−ＡＣＫ符号ブックは、前記シングルキャリアＨＡＲＱ−ＡＣＫ符号ブックにおけるプリアンブル符号語（ＰＲＥ）及びポストアンブル符号語（ＰＯＳＴ）と互換性があるＰＲＥ符号語及びＰＯＳＴ符号語も含む、請求項１に記載の方法。
【請求項７】
前記リモート端末は、アップリンクの前記ＡＣＫメッセージ及び前記ＮＡＣＫメッセージを高速専用物理制御チャネル（ＨＳ−ＤＰＣＣＨ）上で送信する、請求項１に記載の方法。
【請求項８】
マルチキャリアモードが非アクティブ化された場合に、前記リモート端末により、少なくとも第１及び第２のチャネル品質インジケータ（ＣＱＩ）フィールドを送信することをさらに含む、請求項１に記載の方法。
【請求項９】
前記第２のＣＱＩフィールドは、第２のキャリアについてのＣＱＩを含む、請求項８に記載の方法。
【請求項１０】
前記第１のＣＱＩフィールド及び前記第２のＣＱＩフィールドの双方は、第１のキャリアについてのＣＱＩを含む、請求項８に記載の方法。
【請求項１１】
前記第２のＣＱＩフィールドは、前記マルチキャリアモードが非アクティブ化されることを指示する値を含む、請求項８に記載の方法。
【請求項１２】
前記リモート端末は、ハイブリッド自動再送要求（ＨＡＲＱ）のアップリンクシグナリングを利用する、請求項１に記載の方法。
【請求項１３】
前記マルチキャリアモードは、前記少なくとも２つのキャリアのうち第１のキャリアが第１のセルと関連付けられ、前記少なくとも２つのキャリアのうち第２のキャリアが第２のセルと関連付けられるマルチセルモードを含む、請求項１に記載の方法。
【請求項１４】
１つ以上のダウンリンク通信が１つ以上の期待されるキャリア上で受信されるかを判定するステップと；
前記１つ以上のダウンリンク通信及び前記１つ以上の期待されるキャリアに基づいて受信シナリオを判定するステップと；
判定された前記受信シナリオに対応する意味を有する前記マルチキャリアＨＡＲＱ−ＡＣＫ符号ブックからの符号語を判定するステップと；
をさらに含む、請求項１に記載の方法。
【請求項１５】
前記マルチキャリアＨＡＲＱ−ＡＣＫ符号ブックは：
ＡＣＫ／ＤＴＸ＝［１  １  １  １  １  １  １  １  １  １］
ＮＡＣＫ／ＤＴＸ＝［０  ０  ０  ０  ０  ０  ０  ０  ０  ０］
ＤＴＸ／ＡＣＫ＝［１  １  １  １  １  ０  ０  ０  ０  ０］
ＤＴＸ／ＮＡＣＫ＝［０  ０  ０  ０  ０  １  １  １  １  １］
ＮＡＣＫ／ＡＣＫ＝［０  ０  １  １  ０  ０  １  １  ０  ０］
ＡＣＫ／ＮＡＣＫ＝［１  １  ０  ０  １  １  ０  ０  １  １］
ＡＣＫ／ＡＣＫ＝［１  ０  １  ０  １  ０  １  ０  １  ０］
ＮＡＣＫ／ＮＡＣＫ＝［０  １  ０  １  ０  １  ０  １  ０  １］
を含む、請求項１に記載の方法。
【請求項１６】
前記マルチキャリアＨＡＲＱ−ＡＣＫ符号ブックは、
ＰＲＥ＝［０  ０  １  ０  ０  １  ０  ０  １  ０］
ＰＯＳＴ＝［０  １  ０  ０  １  ０  ０  １  ０  ０］
をさらに含む、請求項１５に記載の方法。
【請求項１７】
セルラ通信ネットワークにおいてリモート端末及び基地局の間の符号ブックの不適合を防止するための前記リモート端末であって、前記リモート端末及び前記基地局は、マルチキャリアＨＡＲＱ−ＡＣＫ符号ブックを利用するマルチキャリアモード、又はシングルキャリアＨＡＲＱ−ＡＣＫ符号ブックを利用するシングルキャリアモードのいずれかにおいて、選択的に動作し：
前記リモート端末が送信する様々なメッセージの組み合わせについての複数の符号語を有するマルチキャリアＨＡＲＱ−ＡＣＫ符号ブックを記憶するためのメモリと、
前記マルチキャリアＨＡＲＱ−ＡＣＫ符号ブックにおける確認応答（ＡＣＫ）メッセージについての前記符号語及び否定確認応答（ＮＡＣＫ）メッセージについての前記符号語は、前記シングルキャリアＨＡＲＱ−ＡＣＫ符号ブックにおけるＡＣＫ符号語及びＮＡＣＫ符号語と同じであることと；
前記リモート端末が、前記マルチキャリアモードから前記シングルキャリアモードへ切り換える前記基地局からの命令を見逃した場合に、前記マルチキャリアＨＡＲＱ−ＡＣＫ符号ブックを利用して、前記基地局からのシングルキャリア送信信号に応じたアップリンクのＡＣＫメッセージ又はＮＡＣＫメッセージを送信するための手段と；
前記ＡＣＫメッセージについての前記符号語及び前記ＮＡＣＫメッセージについての前記符号語は、前記マルチキャリアＨＡＲＱ−ＡＣＫ符号ブック及び前記シングルキャリアＨＡＲＱ−ＡＣＫ符号ブックの双方において同じであるため、前記基地局における符号ブックの不適合は、回避されることと；
を含む、リモート端末。
【請求項１８】
リモート端末及び基地局の間の符号ブックの不適合を防止するためのセルラ通信ネットワークにおける前記基地局であって、前記リモート端末及び前記基地局は、マルチキャリアＨＡＲＱ−ＡＣＫ符号ブックを利用するマルチキャリアモード、又はシングルキャリアＨＡＲＱ−ＡＣＫ符号ブックを利用するシングルキャリアモードのいずれかにおいて、選択的に動作し：
前記基地局が前記リモート端末から受信する様々なメッセージの組み合わせについての複数の符号語を有するマルチキャリアＨＡＲＱ−ＡＣＫ符号ブックを記憶するためのメモリと、
前記マルチキャリアＨＡＲＱ−ＡＣＫ符号ブックにおける確認応答（ＡＣＫ）メッセージについての前記符号語及び否定確認応答（ＮＡＣＫ）メッセージについての前記符号語は、前記シングルキャリアＨＡＲＱ−ＡＣＫ符号ブックにおけるＡＣＫ符号語及びＮＡＣＫ符号語と同じであることと；
前記マルチキャリアモードから前記シングルキャリアモードへ切り換える命令を前記基地局から前記リモート端末へ送信するための手段と；
前記基地局からのシングルキャリア送信信号に応じた前記マルチキャリアＨＡＲＱ−ＡＣＫ符号ブックからの符号語を含むアップリンクのＡＣＫメッセージ又はＮＡＣＫメッセージを、前記リモート端末から受信するための手段と；
前記シングルキャリアＨＡＲＱ−ＡＣＫ符号ブックを利用して前記ＡＣＫメッセージについての前記符号語及び前記ＮＡＣＫメッセージについての前記符号語を復号するためのプロセッサと；
前記ＡＣＫメッセージについての前記符号語及び前記ＮＡＣＫメッセージについての前記符号語は、前記マルチキャリアＨＡＲＱ−ＡＣＫ符号ブック及び前記シングルキャリアＨＡＲＱ−ＡＣＫ符号ブックの双方において同じであるため、前記基地局における符号ブックの不適合は、回避されることと；
を含む、基地局。